(57)【特許請求の範囲】
【請求項１】
取付面の表面側に水栓操作部が突出した状態となるように取付けられる湯水混合水栓であって、
前記水栓操作部を一所に集中配置された二つの調整操作部から構成し、各調整操作部にそれぞれ伝達手段を介して調整手段を連結し、しかも、各調整手段をそれぞれ分離して配置し、
調整操作部を湯側流量調整操作部及び水側流量調整操作部とし、調整手段を、湯側流量調整手段及び水側流量調整手段としたことを特徴とする湯水混合水栓。
【請求項２】
各調整操作部及び各伝達手段を回転式とし、各調整操作部の回転操作を、各伝達手段の回転によって各調整手段にそれぞれ伝達するように構成したことを特徴とする請求項１に記載の湯水混合水栓。
【請求項３】
取付面の表面側に水栓操作部が突出した状態となるように取付けられる湯水混合水栓であって、
前記水栓操作部を一所に集中配置された二つの調整操作部から構成し、各調整操作部にそれぞれ伝達手段を介して調整手段を連結し、しかも、各調整手段をそれぞれ分離して配置し、
二つの調整操作部を一所に集中配置して水栓操作部となし、同水栓操作部と伝達手段の一部をなす回転軸部とを連結し、同回転軸部の延長線上に二つの調整手段のいずれか一方を配置するとともに、他方を隣接配置したことを特徴とする湯水混合水栓。
【請求項４】
取付面の表面側に水栓操作部が突出した状態となるように取付けられる湯水混合水栓であって、
前記水栓操作部を一所に集中配置された二つの調整操作部から構成し、各調整操作部にそれぞれ伝達手段を介して調整手段を連結し、しかも、各調整手段をそれぞれ分離して配置し、
各伝達手段の一方の伝達経路を中途で屈曲させたことを特徴とする湯水混合水栓。
【請求項５】
各伝達手段の少なくとも一方を中空回転軸とするとともに、他方の回転軸を同中空回転軸内に同心円的に貫装し、いずれか一方の回転軸に、軸方向と直交する方向へ回転を伝達する伝達部材を設けて伝達経路を屈曲させたことを特徴とする請求項４記載の湯水混合水栓。
【請求項６】
伝達部材を歯車としたことを特徴とする請求項５記載の湯水混合水栓。
【発明の詳細な説明】
【０００１】
【発明の属する技術分野】
本発明は、洗面所、浴室、台所等に配設される湯水混合水栓に関する。
【０００２】
【従来の技術】
従来、この種の湯水混合水栓として、混合水の温度を感知する感温素子を具備したサーモスタット式のものが知られており、例えば、図１２に示した湯水混合水栓がある。なお、図１２は、湯水混合水栓の水栓本体Ｘを示したものであり、同水栓本体Ｘと連通連結した吐水器具は省略している。
【０００３】
図１２に示すように、水栓本体Ｘは水栓取付面Ｙの表面側に操作部100 が突出した状態となるように取付けられており、水栓取付面Ｙの裏面側にケーシング  200 をビス固定している。操作部100 は、温度調整用ハンドル（温調ハンドル）110 と流量調整用レバー（流調レバー）120 とを上下重合状態に同軸的に取付けて構成している。
【０００４】
ケーシング200 内には水流入路210 、湯流入路220 、及び湯水混合室230 を形成しており、湯水混合室230 に、前記操作部100 の流調レバー120 の回転操作に連動する筒状の流調弁体300 を収容している。したがって、流調レバー120 を操作して流調弁体300 を回転摺動させることにより、仮想線で示す流出口500 を開閉したり、開度を調整自在することができる。
【０００５】
また、流調弁体300 内には上下摺動自在とした温調弁体410 の上端に下端を接する温調用筒状ケース400 を、その上部を収納した状態で配設し、さらに、同温調用筒状ケース400 には感温素子420 を配設している。
【０００６】
そして、感温素子420 が前記湯水混合室230 内の水温に感応して作動体430 を伸縮し、同作動体430 の伸縮に連動する温調用筒状ケース400 により前記温調弁体410 を上下摺動させることができる。
【０００７】
また、温調用筒状ケース400 は、前記温調ハンドル110 の回転操作に連動する軸体440 を介し、温調ハンドル110 による温度設定に応じた位置に上下移動可能となっている。したがって、温調ハンドル110 で温度設定すると、その設定温度となる位置に温調弁体410 が移動して水流入口211 及び湯流入口221 の開口調整がなされ、その後は、湯水混合室230 内の温度変化に応じて温調用筒状ケース400 が上下移動し、水流入口211 及び湯流入口221 の開口調整が適宜行われ、自動的に設定温度が保持できる。
【０００８】
以上、従来の湯水混合水栓の構成と作用を簡単に説明してきたが、上述してきたように、従来では、温調ハンドル110 と流調レバー120 とを重合状態に集中配置して操作部100 を構成するとともに、温調ハンドル110 と流調レバー120 の各回転操作に連動する流調弁体300 及び温調用筒状ケース400 とを同軸的に配置して湯水混合専用ユニットＵを構成し、水栓本体Ｘのコンパクト化を図っていた。
【０００９】
【発明が解決しようとする課題】
ところが、上記した湯水混合専用ユニットＵは、流調及び温調の機能を両立させるために、流調用部材と温調用部材とを精密に組み合わせる必要があり、そのためには構造も複雑化するので製造コストが増大し、高価なものとなっていた。
【００１０】
しかも、流調用部材と温調用部材とが略一体となって組合わされているのでいずれかの機能が損なわれた場合、流調用部材、あるいは温調用部材のみを修理したり交換することができず、メンテナンスの面でもコスト高となる。
【００１１】
また、専用ユニットとなっているために、当然ながら流調・温調の方式を個別に変更したり、構成的な仕様変更などを行うことができず、専用ユニット全体の設計変更が余儀無くされる。
【００１２】
本発明は、上記課題を解決することのできる湯水混合水栓を提供することを目的としている。
【００１３】
【発明が解決するための手段】
上記課題を解決するために、請求項１記載の本発明では、取付面の表面側に水栓操作部が突出した状態となるように取付けられる湯水混合水栓であって、前記水栓操作部を一所に集中配置された二つの調整操作部とから構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。
【００１６】
また、請求項１記載の本発明では、調整操作部を湯側流量調整操作部及び水側流量調整操作部とし、調整手段を、湯側流量調整手段及び水側流量調整手段とした。したがって、高価な温度調整手段を用いることなく、操作性の良好な湯水混合水栓を提供することができる。
【００１７】
また、請求項２記載の本発明では、前記各調整操作部及び各伝達手段を回転式とし、各調整操作部の回転操作を、各伝達手段の回転によって各調整手段にそれぞれ伝達するように構成した。すなわち、ユーザにとって使い慣れた操作機構をそのまま採用でき、市場に受けいれられやすい。
【００１８】
また、請求項３記載の本発明では、取付面の表面側に水栓操作部が突出した状態となるように取付けられる湯水混合水栓であって、前記水栓操作部を一所に集中配置された二つの調整操作部から構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。そして、本発明では、二つの調整操作部を一所に集中配置して水栓操作部となし、同水栓操作部と伝達手段の一部をなす回転軸部とを連結し、同回転軸部の延長線上に二つの調整手段のいずれか一方を配置するとともに、他方を隣接配置した。したがって、水栓全体の縦方向の長さを短尺化することができる。
【００１９】
また、請求項４記載の本発明では、取付面の表面側に水栓操作部が突出した状態となるように取付けられる湯水混合水栓であって、前記水栓操作部を一所に集中配置された二つの調整操作部から構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。そして、本発明では、前記各伝達手段の一方の伝達経路を中途で屈曲させた。したがって、流量調整手段及び温度調整手段を並設することが容易に行え、製品のコンパクト化を図ることができる。
【００２０】
また、請求項５記載の本発明では、前記各伝達手段の少なくとも一方を中空回転軸とするとともに、他方の回転軸を同中空回転軸内に同心円的に貫装し、いずれか一方の回転軸に、軸方向と直交する方向へ回転を伝達する伝達部材を設けて伝達経路を屈曲させた。したがって、比較的簡単に屈曲した伝達経路を構成することができ、しかも、操作力の伝達を確実に行える。
【００２１】
また、請求項６記載の本発明では、前記伝達部材を歯車とした。したがって滑りなどのおそれがなく、安価で確実に操作力伝達が行える。
【００２３】
【発明の実施の形態】
本実施形態に係る湯水混合水栓は、取付面の表面側に水栓操作部が突出した状態となるように取付けられており、前記水栓操作部を一所に集中配置された二つの調整操作部から構成し、各調整操作部にそれぞれ伝達手段を介して調整手段を連結し、しかも、各調整手段をそれぞれ分離して配置したものである。
【００２４】
一所に集中配置された調整操作部の第１の実施形態としては、湯側流量調整操作部及び水側流量調整操作部とすることができ、また、調整手段としては、湯側流量調整手段及び水側流量調整手段とすることができる。この場合、感温素子等を具備した高価な温度調整手段を用いる必要がないので安価に製造でき、なおかつ操作性は良好な湯水混合水栓を提供することができる。しかも、各調整操作部に対応する調整手段の配置は自由にレイアウト可能となり、多種多様な湯水混合水栓の提供が可能となる。
【００２５】
また、一所に集中配置された調整操作部の第２の実施形態としては、例えばハンドル操作やレバー操作可能な流量調整操作部及び温度調整操作部とすることができ、また、調整手段としては、かかる流量調整操作部及び温度調整操作部にそれぞれ対応する流量調整手段及び温度調整手段とし、しかも、これらはユニット化された流調ユニット及び温調ユニットを使用することができる。
【００２６】
すなわち、湯水混合水栓は、湯と水を混合し、所望する温湯として吐出する機能を有するものであるが、前者のように、混合する湯量及び水量をそれぞれ湯側流量調整操作部及び水側流量調整操作部を用いて個別に使用者が調整するものに比べて使い勝手をより向上させたもので、使用者は温度調整操作部にて所望する温度に設定し、後は用途に応じて流量調整操作部を操作して流量調整手段を機能させて吐出量の調整のみを行うだけでよいように構成されている。すなわち、温度調整操作部により温度設定すると、設定温度に見合った湯と水の混合比で自動的に混合する温調ユニットを組み込んでいる。
【００２７】
かかる構成とすれば、流調機能や温調機能のグレード等を選択的に変更可能とすることができ、しかも安価でかつメンテナンス性のよいものを提供することができる。
【００２８】
そのために、本実施の形態では、前記各調整操作部、すなわち、湯側流量調整操作部及び水側流量調整操作部や温度調整操作部及び流量調整操作部と、これらの操作力を湯側流量調整手段及び水側流量調整手段や温調ユニット及び流調ユニットに伝達する各伝達手段を回転式とし、各調整操作部の回転操作を、各伝達手段の回転によって各調整手段やユニットにそれぞれ伝達する構成としている。回転式とすることにより、伝達比を調整することで、操作に必要な力、操作の角度を変更することができ、より使い勝手を向上させることができる。
【００２９】
また、前記二つの調整操作部を一所に集中配置して水栓操作部となし、同水栓操作部と前記伝達手段の一部をなす回転軸部とを連結し、同回転軸部の延長線上に二つの調整手段のいずれか一方を配置するとともに、他方を隣接配置することができる。
【００３０】
流調操作部及び温調操作部を一所に集中配置して水栓操作部とするのは、従来の技術説明で示したように周知であるが（図７参照）、かかる使用者の馴れ親しんだ構成とすることにより使い勝手を損なわないようにし、同水栓操作部から回転軸部を下方へ延設し、その仮想延長線上に、例えば流調ユニット又は温調ユニットのいずれか一方を配置するとともに、他方を隣接配置することで、二個のユニットを並設したレイアウトとし、水栓全体の縦方向の長さを短尺化してコンパクト化を図ることができ、設置箇所の限定が緩やかになる。
【００３１】
流調ユニットと温調ユニットを並設するためには、前記各伝達手段の一方の伝達経路を中途で屈曲させるとよい。
【００３２】
すなわち、前記各伝達手段の少なくとも一方を中空回転軸とするとともに、他方の回転軸を同中空回転軸内に同心円的に貫装して回転軸部を構成し、いずれか一方の回転軸に、軸方向と直交する方向へ回転を伝達する伝達部材を設けて伝達経路を屈曲させることができる。
【００３３】
かかる構成とすることにより、比較的簡単に屈曲した伝達経路を構成して両ユニットを並設し、しかも、各操作部の操作力を各ユニットそれぞれに確実に伝達することができる。
【００３４】
ところで、前記伝達部材は、歯車、プーリー、ワイヤー等各種使用することができるが、滑りなどのおそれがなく、安価で確実に操作力伝達が行える歯車を用いることが好ましい。
【００３６】
以上説明してきたように、本発明では、二つの調整手段を、例えば流調ユニット及び温調ユニット等を汎用品等の安価なものを選択採用することができるとともに、縦方向の長さを短尺化してコンパクトな構成としながらレイアウトも自由に設定できるので、多種多様な湯水混合水栓の提供が可能となり、さらに、全体構造が簡単となって安価に製造することができる。しかも、操作性は良好に維持することができる。また、流調機能及び温調機能のメンテナンスを個別に行えるのでランニングコストも低減できる。
【００３７】
【実施例】
（第１実施例）
以下、添付図に基づいて、本発明の第１実施例を具体的に説明する。
【００３８】
図１及び図２に本発明に係る湯水混合水栓Ａの第１実施例を示す。図１は湯水混合水栓Ａを概略的に示しており、図２ではこれをより具体的に示している。
【００３９】
図１に示すように、湯水混合水栓Ａは、取付面Ｂの表面側に水栓操作部６が突出した状態となるように取付けられており、取付面Ｂの裏面側に本体ケーシング１を配設している。
【００４０】
すなわち、取付面Ｂに設けた取付孔B1に本体ケーシング１の上部取付用筒部10を挿通し、同筒部10の周面に形成した雄ねじ部に固定用ナット2,2 を螺合して取付け、取付面Ｂの表面に突出した水栓操作部６には、上側から流量調整操作部としての流量調整用ハンドル（以下流調ハンドルという）61と、温度調整操作部としての温度調整用レバー（以下温調レバーという）62とを上下重合状態に、後述する回転軸部に同軸的に取付けている。21は取付面Ｂ側の固定用ナット２を覆う化粧カバーである。
【００４１】
前記上部取付用筒部10は、前記取付面Ｂの裏面に配設された本体ケーシング１を構成する上側ケース1aに連設されており、同上側ケース1aの下端には下側ケース1bを連設している。
【００４２】
同下側ケース1b内に通水路３を形成しており、同通水路３には湯流入開口3aと水流入開口3bと吐出開口3cとが連通している。3dは水抜きを設ける場合の開口であり、3eは同開口3dの塞ぎ蓋3eである。
【００４３】
かかる通水路３中に、温度調整手段である温調ユニット４と、流量調整手段である流調ユニット５とを隣接状態に並設している。
【００４４】
回転軸部は水栓操作部６の操作力を前記温調ユニット４及び流調ユニット５に伝達する伝達手段として機能するもので、流調ユニット５と流調ハンドル61とを連動連結する回転軸７と、温調ユニット４と温調レバー62とを連動連結する中空回転軸８とにより構成している。
【００４５】
そして、本実施例では前記回転軸部の延長線上に流調ユニット５を配設し、流調ハンドル61の回転操作を回転軸７の回転によって流調ユニット５に直接的に伝達するようにする一方、温調レバー62の回転操作は、伝達部材としての歯車機構を介在させた屈曲した伝達経路により、温調ユニット４へ間接的に伝達するようにしている。
【００４６】
すなわち、図示するように、回転軸７の上端を流調ハンドル61に連結するとともに、その下端を流調ユニット４に直結する一方、同回転軸７を貫装するように中空回転軸８を配設し、同中空回転軸８の上端を温調レバー62に連結するとともに、同中空回転軸８の下端には歯車81を連設し、同歯車81と、温調ユニット４から上方へ伸延した操作軸41の先端に設けた従動歯車82とを噛合させて、温調レバー62の回転による操作力の伝達経路を屈曲させ、操作力を中空回転軸８→歯車81→従動歯車82→温調ユニット４と伝達するように構成している。なお、本実施例では伝達手段として歯車81及び従動歯車82を使用したが、プーリやワイヤなどを用いることもできる。
【００４７】
ここで、図２を参照しながら、温調ユニット４及び流調ユニット５の構成、並びに、両ユニット4,5 の水栓操作部６による操作について、より具体的に説明する。
【００４８】
温調ユニット４は、筒状のユニットケース40内に温調用弁体42を上下摺動自在に配設し、同温調用弁体42の移動によって、ユニットケース40に設けた湯流入孔40a 及び水流入孔40b を開閉したり、あるいは、その開面積の調整を行うようにしている。
【００４９】
温調用弁体42の下方には、湯水混合室43が形成され、同湯水混合室43内に、形状記憶合金からなる感温スプリングＳを配設して温調用弁体42の下端を支持させている。
【００５０】
また、ユニットケース40の上部には、前述したように一端を上方へ突出させるとともに、下部周面に雄ねじ部41a を形成した操作軸41を軸廻りに回転自在に収納している。
【００５１】
また、ユニットケース40と操作軸41との間に、同操作軸41の雄ねじ部41a と螺合する雌ねじ部44a を内周面に形成したスリーブ44を上下摺動自在に配設し、操作軸41の回転によって上下移動可能としている。
【００５２】
かかるスリーブ44の下端と前記温調用弁体42とを、支持部材45で連結するとともに、さらに、スリーブ44と温調用弁体42との間にスプリング46を介設して、温調用弁体42を常時下方へ付勢するようにしている。なお、47は温調ユニット押さえ用部材である。
【００５３】
かかる構成により、温調レバー62を回転操作して所望する温度に設定すると、伝達手段をなす中空回転軸８が回転し、前述したように、中空回転軸８→歯車81→従動歯車82→と回転が屈曲して伝達され、さらに、その回転は従動歯車82→操作軸41→スリーブ44と伝達され、操作軸41に螺合しているスリーブ44が上下移動する。
【００５４】
このスリーブ44の移動により、温調用弁体42の上下方向の位置が決定されて、同時に、湯流入孔40a 及び水流入孔40b の開面積が定まり、これによる湯・水の混合比で湯水が湯水混合室43内で混合され、温度の温湯を通水路３を介して流調ユニット５へと送ることができる。
【００５５】
また、温湯を供給中、例えば湯温が高くなった場合は、感温スプリングＳがこれに反応して膨張し、温調用弁体42を上昇移動させて湯流入孔40a の開面積を減少させるともに、水流入孔40b の開面積を拡大して湯量を減じて水量を増加させ温湯の温度を低下させる。反対に湯温が低くなると、逆に感温スプリングＳは収縮して、前記と反対の作用によって湯温を高める。このように、温調レバー62で所望する湯温を設定すると、温調ユニット４により自動的に一定温度に保つことができる。
【００５６】
また、かかる温調ユニット４に並設された流調ユニット５は、温調ユニット４と通水路３を介して連通したユニットケース50を具備しており、同ユニットケース50の底面に前記通水路３と連通する開口部50a を形成するとともに、周壁には吐出開口3cに連通する連通孔51を設けている。
【００５７】
そして、ユニットケース50内に、上端を前記した回転軸７に連結した筒状の流調用弁体52を周方向へ回動自在に収納配設し、同流調用弁体52に形成した弁孔53を前記連通孔51に対応させて連通孔51の開閉、あるいは開面積を調整可能としている。
【００５８】
したがって、流調ハンドル61を回転すると、その回転操作力は、回転軸７を介して流調用弁体52に直線的に伝達されて流調用弁体52をユニットケース50の内周に沿って回動させることができる。なお、図２において、54は流調ユニット押さえ用部材、71は回転軸７と中空回転軸８との間に嵌挿されたストッパー用筒体であり、上端にストッパ片72を突設しており、同ストッパ片72と流調ハンドル61に設けた図示しない係合部とを係合させることで流調ハンドル61の回転角度を所定範囲以内に規制している。
【００５９】
かかる構成により、流調ハンドル61を回転操作することで、連通孔51と弁孔53との重合開口面積を自在に調整でき、前記温調レバー62で設定した温度の温湯を所望の流量で吐出開口3cより吐水することができる。
【００６０】
このように、本実施例によれば、温調ユニット４と流調ユニット５とを並設して湯水混合水栓Ａとしての縦方向の長さを短尺化してコンパクト化を図り、設置箇所を比較的自由に選定することが可能となり、また、各ユニット4,5 については、多種の中から選択して採用することができるので設計自由度が高まる。しかも、両ユニット4,5 は分離配置されているので両者を一体化するための複雑な機構も不要となり安価に製造することができるとともに、両ユニット4,5 をそれぞれ単独に修理したり交換したりすることができるのでメンテナンス性も向上する。
【００６１】
ところで、本実施例の変容例として、図３に示す構成としてもよい。
【００６２】
図３に示す湯水混合水栓A'では、上述してきたものとは逆に、ハンドル操作で温度調整を行い、レバー操作で流量調整をするようにしたもので、回転軸部の延長線上には温調ユニット４を配設している。
【００６３】
すなわち、ハンドル及びレバーを上下重合させて構成した水栓操作部６において、上側のハンドルを温調ハンドル61' として、同温調ハンドル61' に上端を連動連結した回転軸７の下端を温調ユニット４に直結し、温調ハンドル61' の回転による操作力を回転軸７を介して直線的に伝達させて温調ユニット４の温調用弁体42（図２参照）を回動可能に構成する一方、下側のレバーを流調レバー62' とし、同流調レバー62' に上端を連動連結した中空回転軸８の下端と流調ユニット５とを、同中空回転軸８の下端に設けた歯車81と流調ユニット５の流調用弁体52（図２参照）に連動連結した流調用操作軸56の上端に設けた従動歯車82' とを噛合させることによって間接的に連結し、流調レバー62' の回転操作力を屈曲した伝達経路で伝達して流調用弁体52を回動可能としている。
【００６４】
かかる構成としても、先に説明した湯水混合水栓Ａと同等な作用・効果を得ることができる。
【００６５】
（第２実施例）
図４に第２実施例に係る湯水混合水栓A1を示す。
【００６６】
本実施例では第１実施例（図１及び図２）同様に、回転軸部の延長上に流調ユニット５を配設してはいるが、水栓操作部６の構成は、変容例（図３参照）同様に上側のハンドルを温調ハンドル61' とし、下側のレバーを流調レバー62' としている。
【００６７】
しかも、本実施例では、図示するように、温調ハンドル61' に上端を連結した回転軸7'を、その下端が流調ユニット５の上方に位置する長さに止め、同下端に歯車73を連設し、同歯車72と、温調ユニット４の操作軸41の上端に連設した従動歯車82とを噛合させ、温調ハンドル61' の回転操作力の伝達経路を屈曲させ温調ユニット４に伝達するように構成している。
【００６８】
さらに、流調レバー62' に上端を連結した中空回転軸8'の中途部を、前記した歯車73に対応する箇所で外方に張り出して張出部83を形成し、同張出部83内に歯車73を回転自在に配設するとともに、同張出部83の下端と流調ユニット５の流調用弁体52（図２参照）とを連結している。55は前記張出部83と流調用弁体52とを連結する連結軸であり、同連結軸55は中空回転軸8'と一体であっても別体のものを接合したものであっても構わない。
【００６９】
このように、流調レバー62' の回転操作は、流調ユニット５に対して直接的に伝達されることになる。
【００７０】
本実施例においても、第１実施例と同様に、湯水混合水栓A1の縦方向の長さをコンパクト化することができ、設計自由度が高まり、安価に製造することができるとともに、メンテナンス性も向上する効果を奏する。なお、本実施例の他の構成は第１実施例と同様なのでここでの説明は省略する。
【００７１】
次に、図５に示した本実施例の変容例を説明する。
【００７２】
ここで示した湯水混合水栓A1' は、第２実施例同様な回転軸7'と中空回転軸8'の構成をとりながら、第１実施例（図１及び図２）同様に水栓操作部６の構成を上側のハンドルを流調ハンドル61とし、下側のレバーを温調レバー62とし、しかも、第１実施例の変容例（図３）同様に、回転軸部の延長上に温調ユニット４を配設し、同温調ユニット４に隣接するように流調ユニット５を並設したものである。
【００７３】
すなわち、温調レバー62に上端を連結した中空回転軸8'と温調ユニット４とを直接的に連結し、流調ハンドル61と流調ユニット５との操作力伝達経路を、回転軸7'と、歯車73及び従動歯車82' とを介して屈曲させたものとしている。
【００７４】
かかる構成としても、第１、２実施例同様な効果を得ることができる。なお、他の構成は第１、第２実施例と同様なのでここでの説明は省略する。
【００７５】
以上、第１、第２実施例を通して本発明に係る湯水混合水栓を説明したが、かかる、湯水混合水栓を実際に取付ける場合は、図６及び図７に示すように、例えば洗面器の取付面Ｂに直立状態に設置したり、あるいは、図８に示すように、浴室等の壁面Ｗに傾斜状態に設置したりすることができる。なお、図６〜図８は、先の第２実施例に係る湯水混合水栓A1を基本構造とした湯水混合水栓A2の設置状態を示している。
【００７６】
図６及び図８において、HCは連結金具であり、給湯用金具H1と給水用金具C1とからなり、図７に示す給湯用金具H1で説明すると、本体ケーシング１に対して直交状に伸延する基部H1a と同基部H1a から直角に屈曲伸延する先端部H1b とから側面視Ｌ字状に形成されており、本体ケーシング１の周壁に対して基部H1a が軸芯廻りに回転自在に取付けられ、先端部H1b が本体ケーシング１の周壁に対して水平方向に回転自在となるようにしている。なお、H2,C2 は各金具H1,C1 にそれぞれ連結した給湯ホース、給水ホースである。
【００７７】
連結金具HCをかかる構成としたことにより、給湯ホースH2及び給水ホースC2の取り出し方向を自在に設定することができ、図８に示すような壁面設置も可能となって設置する箇所の限定条件を緩やかにすることができる。
【００７８】
なお、図７に示すように、本湯水混合水栓A2' における回転軸7'は、中空状に形成して軽量化を図りつつ、温調ハンドル61' との連結部である上端部から歯車73の連設端部である下端部にかけて漸次拡径させて強度を高めており、しかも歯車73を一体成形している。
【００７９】
さらに、中空回転軸8'は、その膨出部83の底壁83a を別体構成して連結するとともに、中空回転軸8'と流調ユニット５とを連結する連結軸55も別体で形成している。そして、これら回転軸7'及び中空回転軸8'を合成樹脂製として成形性を高めるとともにコストダウンを図っている。なお、図７中、65は温調ハンドル61' の頂部に設けた化粧キャップ、66は温調ハンドル61' を回転操作する際に、急激に高温側へ回転しないように規制する安全ボタンである。
【００８０】
ところで、図８に示すように、湯水混合水栓A2' を壁面設置する場合は、専用の壁面設置用金具Ｅを用いるとよい。
【００８１】
同壁面設置用金具Ｅは、壁面Ｗに当接する舌部E1と、同舌部E1から斜めに立上げるとともに壁側に折曲してかつ壁面Ｗの裏側まで伸延させた水栓取付面部E2と、さらに、同水栓取付面E2の奥部端から略垂直に立上て凹部E3を形成する凹部形成面E4とを形成した表側化粧面ｅと、同表側化粧面ｅに連設した台座e'とからなり、同台座e'は壁面Ｗの裏側で図示しないブラケットを介して柱等の取付用部材に熱かしめ等で固定される。
【００８２】
また、図６及び図８において、９は吐水部となるシャワーヘッドであり、図７に示すように、本体ケーシング１に設けた吐出開口3cとフレキシブル管からなる連通管90を介して連通連結している。
【００８３】
なお、吐水部としては必ずしもかかるシャワーヘッド９を用いなければならないことはなく、いかなる吐水具を用いても構わない。
【００８４】
（第３実施例）
図９に第３実施例に係る湯水混合水栓A3を示す。
【００８５】
本実施例では、一所に集中配置された二つの調整操作部を、湯量を調整操作する湯側流量調整操作部としてのハンドル63と、水量を調整操作する水側流量調整操作部としてのレバー64とするともに、同ハンドル部63及びレバー64にそれぞれ伝達手段としての回転軸７、中空回転軸８を介して連結され、かつ、それぞれ分離して配置された調整手段としては、湯側流量調整手段としての湯用流調ユニット5aと水側流量調整手段としての水用流調ユニット5bとしている。
【００８６】
すなわち、第１実施例に係る湯水混合水栓Ａを基本として、流調ユニット５に代えて湯用流調ユニット5aを配設し、温調ユニット４に代えて水用流調ユニット5bを配設したもので、図示するように、湯用流調ユニット5aを給湯口31を連通連結するとともに、水用流調ユニット5bを給水口32に連通連結し、さらに、両ユニット5a,5b の下流側に混合通路33を形成し、同通路33を混合水出口である吐出開口3c' に連通している。
【００８７】
本実施例では、温湯の温度調整は湯量と水量とを変える構成としているので、感温素子や形状記憶合金からなる感温スプリングＳ等を設けた高価な温調ユニット４が不要となり、比較的安価に製造できるメリットがある。しかも、操作性は先の各実施例同様に良好なものとすることができる。
【００８８】
さらに、本実施例においても、ハンドル63やレバー64に対応する湯用流調ユニット5aや水用流調ユニット5bのレイアウトの自由度が高く、多種多様な湯水混合水栓の提供が可能となる。
【００８９】
なお、本実施例の他の構成は基本的に第１実施例と同様なのでここでの説明は省略する。
【００９０】
（第４実施例）
図１０及び図１１に第４実施例に係る湯水混合水栓A4を示す。
【００９１】
本実施例は、一方の調整操作の回転方向と、他方の調整操作の回転方向とを直交させることにより、一つの操作レバー65で操作可能としたものである。
【００９２】
すなわち、図２に示した第１実施例に係る湯水混合水栓Ａの水栓操作部６における流調ハンドル61と、温調レバー62とに代えて、中空回転軸８に連動連結し、温調ユニット４の調整操作を行う温調ボックス66を配設するとともに、同温調ボックス66を水平方向へ回動させる操作レバー65を取付け、しかも、同操作レバー65は、上下方向へも回動して、その回転方向が水平方向の回転に変換されて回転軸７を回転させて流量ユニット４を調整操作可能としている。
【００９３】
操作レバー65は、温調ボックス66内に水平方向へ架設した流調軸67に上下回動自在に取付けられており、同流量軸67には第１傘歯車68a を取付けている。
【００９４】
また、回転軸７の温調ボックス66内に臨設した上端には第２傘歯車68b を設けており、同第２傘歯車68b と第１傘歯車68a とを噛合させている。
【００９５】
したがって、操作レバー65による上下回転力は水平回転力となって回転軸７を回転させ、流調ユニット５の調整操作が行える。
【００９６】
一方、操作レバー65は、温調ボックス65に軸架されているので、その水平回転操作により直接温調ボックス65を水平回転させることになり、中空回転軸８を介して温調ユニット４の調整操作が行えることになる。
【００９７】
このように、本実施例では、温度調整や流量調整等の調整操作を一つの操作レバー65で行えることになって、より使い勝手の良い湯水混合水栓A4となすことができる。
【００９８】
【発明の効果】
本発明は、以上説明してきたような形態で実施され、以下の効果を奏する。
【００９９】
（１）請求項１記載の本発明では、取付面の表面側に水栓操作部が突出した状態となるように取付けられる湯水混合水栓であって、前記水栓操作部を一所に集中配置された二つの調整操作部から構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。
【０１０１】
また、請求項１記載の本発明では、調整操作部を湯側流量調整操作部及び水側流量調整操作部とし、調整手段を、湯側流量調整手段及び水側流量調整手段としたことにより、高価な温度調整手段を用いることなく、操作性の良好な湯水混合水栓を提供することができる。
【０１０２】
（２）請求項２記載の本発明では、前記各調整操作部及び各伝達手段を回転式とし、各調整操作部の回転操作を、各伝達手段の回転によって各調整手段にそれぞれ伝達するように構成したことにより、ユーザにとって使い慣れた操作機構をそのまま採用でき、操作性に違和感がなく市場に受けいれられやすくなる。加えて、伝達比を調整することで、操作に必要な力、操作の角度を変更することができ、より使い勝手を向上させることができる。
【０１０３】
（３）請求項３記載の本発明では、取付面の表面側に水栓操作部が突出した状態となるように取付けられる湯水混合水栓であって、前記水栓操作部を一所に集中配置された二つの調整操作部から構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。また、本発明では、前記二つの調整操作部を一所に集中配置して水栓操作部となし、同水栓操作部と伝達手段の一部をなす回転軸部とを連結し、同回転軸部の延長線上に二つの調整手段のいずれか一方を配置するとともに、他方を隣接配置したことにより、水栓全体の縦方向の長さを短尺化してコンパクト化を図ることができ、設置箇所の自由度が高まる。
【０１０４】
（４）請求項４記載の本発明では、取付面の表面側に水栓操作部が突出した状態となるように取付けられる湯水混合水栓であって、前記水栓操作部を一所に集中配置された二つの調整操作部から構成し、各調整操作部にそれぞれ伝達手段を介して調整手段を連結し、しかも、各調整手段をそれぞれ分離して配置した。したがって、調整操作部は集中配置されているので使い勝手が良好であり、かつ、各調整操作部に対応する調整手段の配置は自由にレイアウト可能となり、多種多様な湯水混合水栓の提供が可能となる。また、本発明では、前記各伝達手段の一方の伝達経路を中途で屈曲させたことにより、流量調整手段及び温度調整手段を並設することが容易となる。
【０１０５】
（５）請求項５記載の本発明では、前記各伝達手段の少なくとも一方を中空回転軸とするとともに、他方の回転軸を同中空回転軸内に同心円的に貫装し、いずれか一方の回転軸に、軸方向と直交する方向へ回転を伝達する伝達部材を設けて伝達経路を屈曲させたことにより、比較的簡単に屈曲した伝達経路を構成することができ、しかも、操作力の伝達を確実に行え、使い勝手が良好となる。
【０１０６】
（６）請求項６記載の本発明では、前記伝達部材を歯車としたことにより、操作力の伝達に滑りなどを生じることがなく、確実に操作力伝達が行え、しかも安価に製造できるので全体のコストダウンをより促進できる。
【図面の簡単な説明】
【図１】第１実施例に係る湯水混合水栓の概略的な説明図である。
【図２】同湯水混合水栓の説明図である。
【図３】同湯水混合水栓の変容例を示す説明図である。
【図４】第２実施例に係る湯水混合水栓の概略的な説明図である。
【図５】同湯水混合水栓の変容例を示す説明図である。
【図６】第２実施例を基本構造とした湯水混合水栓の取付状態の一例を示す説明図である。
【図７】同断面視による説明図である。
【図８】第２実施例を基本構造とした湯水混合水栓の取付状態の一例を示す説明図である。
【図９】第３実施例に係る湯水自動水栓の説明図である。
【図１０】第４実施例に係る湯水混合水栓の説明図である。
【図１１】同湯水混合水栓の操作レバーの説明図である。
【図１２】従来の湯水混合水栓の説明図である。
【符号の説明】
Ａ  湯水混合水栓
４  温調ユニット（温度調整手段）
５  流調ユニット（流量調整手段）
６  水栓操作部
７  回転軸
８  中空回転軸
81  歯車（伝達部材）
82  従動歯車（伝達部材）
61  流調ハンドル（流量調整操作部）
62  温調レバー（温度調整操作部）
【図１】
0003777781.tif 000002
【図２】
0003777781.tif 000003
【図３】
0003777781.tif 000004
【図４】
0003777781.tif 000005
【図５】
0003777781.tif 000006
【図６】
0003777781.tif 000007
【図７】
0003777781.tif 000008
【図８】
0003777781.tif 000009
【図９】
0003777781.tif 000010
【図１０】
0003777781.tif 000011
【図１１】
0003777781.tif 000012
【図１２】
0003777781.tif 000013